(57)【要約】      （修正有）【課題】それ自身が伸展しても開閉自在な物品の閉塞状態を良好に保つことのできる可撓性を有する帯状の閉止部材及びこれを備えた開閉自在な物品を提供する。【解決手段】二つ折りの閉塞状態を保持するための閉止部材を備え、ヒンジ状に自在に折り重ね得る第一の部分と第二の部分の二つの部分からなる開閉自在な物品において、前記閉止部材が、可撓性を有する略帯形の帯状部材と、該帯状部材に配設される弾性体と、該閉止部材の自由端側の先端部を開閉自在な物品の第一の部分側に着脱自在に固着するための第一の留具とを有し、該閉止部材の固定端が、開閉自在な物品の第二の部分側に固定され、該開閉自在な物品の第一の部分には、閉止部材に配設された前記第一の留具を受ける第二の留具が配設され、第一の留具と第二の留具の相対的な作用によって開閉自在な物品の閉塞状態を保持することができる。【選択図】図２
0003127996.tif 000002
【実用新案登録請求の範囲】
【請求項１】
ヒンジ状に開閉自在で、折り重ねた際に互いにほぼ過不足無く重なり合う所定の面積を有する第一の部分と第二の部分の二つの部分を備え、該二つの部分の一方に固定され他方に着脱自在であり、二つの部分に跨って連結される帯状の閉止部材により、二つの部分を二つ折りの閉塞状態に保持するようにした開閉自在な物品において、前記閉止部材は、可撓性を有する帯状の部材からなり、閉止部材が物品を覆って重なり合う際のそれらの間に生ずる隙間を消失させる弾性体を閉止部材に取り付け、経年変化による伸びにより、二つの部分の重なり部に隙間が生ずるのを防止するようにしたことを特徴とする開閉自在な物品。
【請求項２】
弾性体が、二つの部分に跨って略Ｕ字形に湾曲した帯状部材の湾曲部位に配設されていることを特徴とする請求項１記載の開閉自在な物品。
【請求項３】
帯状部材が、可撓性を有する素材で袋状に形成され、弾性体が該帯状部材の内部に圧縮状態で配設されていることを特徴とする請求項１又は２記載の開閉自在な物品。
【請求項４】
帯状部材が、可撓性を有する素材で袋状に形成され、弾性体が該帯状部材の内部に非圧縮状態で配設され、該帯状部材を厚さ方向に圧縮可能としたことを特徴とする請求項１又は２記載の開閉自在な物品。
【請求項５】
弾性体の少なくとも一部分が、外部に露出した状態で、帯状部材の内側面に配設されていることを特徴とする請求項１又は２記載の開閉自在な物品。
【請求項６】
弾性体が、発泡樹脂で構成されるていることを特徴とする請求項１乃至５のいずれかに記載の開閉自在な物品。
【請求項７】
弾性体が、複数の伸縮性材料を重ね合わせてなるものであることを特徴とする請求項１乃至６のいずれかに記載の開閉自在な物品。
【請求項８】
袋状に形成された帯状部材の主たる材料が、革乃至合皮であることを特徴とする請求項１乃至７のいずれかに記載の開閉自在な物品。
【請求項９】
開閉自在な物品の一方の部分に対する閉止部材の着脱が、それぞれに配設された第一の留具と第二の留具によるものであり、第一の留具が、閉止部材の自由端側の先端部内側に配設された雄型ホックであり、第二の留具が、開閉自在な物品の第一の部分の外表面に配設された前記雄型ホックを着脱自在に装着して固着し得るように構成された雌型ホックであることを特徴とする請求項１乃至８のいずれかに記載の開閉自在な物品。
【請求項１０】
開閉自在な物品の一方の部分に対する閉止部材の着脱が、それぞれに配設された第一の留具と第二の留具によるものであり、第一の留具が、閉止部材の自由端の先端部に配設される磁性体であり、第二の留具が、開閉自在な物品の第一の部分に配設される磁石であることを特徴とする請求項１乃至９のいずれかに記載の開閉自在な物品。
【請求項１１】
開閉自在な物品が、金属製の略角皿状の二つの部材を互いに内向きに重ねて、それらの一端どうしを開閉自在にヒンジ連結してなり、該角皿状の部材の外表面の一部乃至全部には革が配設されていることを特徴とする請求項１乃至５のいずれかに記載の開閉自在な物品。
【請求項１２】
閉塞状態を保持するための閉止部材を備え、金属製の略角皿状の二つの部材を互いに内向きに重ねて、それらの一端どうしを開閉自在にヒンジ連結してなり、該角皿状の部材の外表面のほぼ全体には革が配設される開閉自在な物品において、閉止部材が、可撓性を有する革を袋状に形成して全体として略帯状をなし、開閉自在な物品の開閉する自由端側の側端部を覆うように二つの部材に跨って略Ｕ字形に湾曲した帯状部材の湾曲部位の内部には、ポリウレタンフォームを二枚重ねてなる弾性体が圧縮状態で配設され、該閉止部材の自由端側の先端内側部分には雄型ホックが配設され、該閉止部材の固定端が開閉自在な物品の一方の角皿状の部材の外側表面に配設された革に対し縫合によって固定され、該閉止部材を取り付けていない側の開閉自在な物品の角皿状の部材の外側表面に配設された革には、雌型ホックが固定されてなることを特徴とする開閉自在な物品。
【請求項１３】
開閉自在な物品の第一の部分の内側が、鏡面を有することを特徴とする請求項１乃至１２のいずれかに記載の開閉自在な物品。
【考案の詳細な説明】
【技術分野】
【０００１】
ヒンジ状に開閉自在に構成された開閉自在な物品を、重ね合わせた閉止状態に保持するために、該開閉自在な物品に配設される閉止部材及びこの閉止部材を備えた開閉自在な物品に関する。特に、開閉自在な物品が、平面形状がほぼ合同な二つの部材を互いに内側を向けてヒンジ連結し、その閉止状態において該部材間に外部から隔絶された閉じた空間が形成され、容器様をなす物品、例えばシガレットケース或いは名刺入れ若しくは所謂長角ミラーの如き物品であって、閉止部材が、可撓性を有する帯状の部材であり、該閉止部材を略Ｕ字形に折り曲げて、閉止状態における開閉自在な物品の自由端側の側部の一部乃至全部を覆って、開閉自在な物品をなす前記二つの部分に跨って連結することで、該開閉自在な物品の閉止状態を保持するように構成されるものに関する。
【背景技術】
【０００２】
名刺やたばこを収納するための所謂名刺入れやシガレットケースの類の小物入れ、或いは財布やバインダの如き物品は、従来広く普及し実用に供している。それら従来のシガレットケースや名刺入れ或いは財布やバインダには、様々な構成のものが存在するが、シガレットケースや名刺入れにおける蝶番様に開閉自在な構成を採るものとしては、全体が金属製で、そのケース本体の閉止状態を保持するための留具が、蝶番様をなすケースの蓋側の自由端から延出するように一体的に形成され、ケースの容器側の自由端に引っ掛けて固定し得るフック状に湾曲させてなる構造のものや、ケースの両自由端それぞれに、互いに掛って止め得るように構成された留具によって閉止状態を保持するようにされたものが一般的である。また、蝶番の様に可動の所謂二つ折りタイプの財布やバインダ（特許文献１参照）においては、その折り畳み状態を保持するためのホック(15)が取り付けられた可撓性を有する帯状の閉止部材(16)が、本体の一方の自由端に固着されたもの（図９参照）が市販されている。この帯形の閉止部材(16)は、図１０に示すように、革乃至合皮製の帯状片二枚を重ねて縫合し、その基端部が、開閉自在な物品(17)の所定箇所に固着され、他方を自由端とし、その先端内側部分にホック(15)等の留具を取り付けて構成されたものが一般的である。
【０００３】
しかしながら上述の如きフック状に形成された金属製の留具を採用した金属製の小物入れにあっては、金属どうしである留具とケース本体との衝接によってその衝接部が摩耗したり傷付いたりするという問題があった。また、このような金属製の留具の場合、その外側に革等による装飾をあしらって高級感を出すことは、デザイン上、或いは技術的に困難であった。他方、図９に示すように、可撓性を有する帯状の閉止部材(16)を備えた小物入れの場合には、使用に伴う経年変化によって、該閉止部材(16)自体が、伸びてしまうという現象が起こる。閉止部材(16)が伸びると、開閉自在な物品(17)の閉塞状態を保持する際に、閉止部材(16)の内側面と開閉自在な物品(17)の自由端側の側部との間に隙間(Ｓ)ができ、良好な閉塞状態を保持できなくなるという問題が生じる。従って、このような可撓性を有する帯状の閉止部材(16)の適用は、財布やバインダのようにその閉じ具合が余り問題とされないものの高級感が要求されるような物品には好適であるが、逆に、開閉自在な物品(17)の閉塞状態が良好に得られず、隙間ができてしまうと問題が生じるような物品、例えば、シガレットケースや名刺入れ等に適用すると、閉止部材(16)の伸びによってケースの自由端周辺に作出される隙間(Ｓ)からたばこの葉や名刺等の収容物やその一部がこぼれ落ちたり、飛び出してしまうというおそれがあった。
【特許文献１】公開実用新案昭６２−８５４６５号公報
【考案の開示】
【考案が解決しようとする課題】
【０００４】
本考案は、上記の如き問題に鑑みてなされたものであり、それ自身が伸びてしまっても開閉自在な物品の閉塞状態を良好に保つことのできる可撓性を有する帯状の閉止部材及びこれを備えた開閉自在な物品を提供することを目的とする。
【課題を解決するための手段】
【０００５】
上記目的を達成するために本考案が採った手段は、ヒンジ状に開閉自在で、折り重ねた際に互いにほぼ過不足無く重なり合う所定の面積を有する第一の部分と第二の部分の二つの部分を備え、該二つの部分の一方に固定され他方に着脱自在であり、二つの部分に跨って連結される帯状の閉止部材により、二つの部分を二つ折りの閉塞状態に保持するようにした開閉自在な物品において、前記閉止部材は、可撓性を有する帯状の部材からなり、閉止部材が物品を覆って重なり合う際のそれらの間に生ずる隙間を消失させる弾性体を閉止部材に取り付け、経年変化による伸びにより、二つの部分の重なり部に隙間が生ずるのを防止するようにしたことを特徴とする。
【０００６】
弾性体が、二つの部分に跨って略Ｕ字形に湾曲した帯状部材の湾曲部位に配設されていることを特徴とする。
【０００７】
帯状部材が、可撓性を有する素材で袋状に形成され、弾性体が該帯状部材の内部に圧縮状態で配設され、帯状部材の経年変化に伴う該帯状部材の伸展に際して、該弾性体が膨張して閉止部材の厚さが増大し、これによって、開閉自在な物品を閉塞状態に保持する際に、該開閉自在な物品の自由端側の側部と該閉止部材の内側面との間に隙間ができないようにし、閉止部材の伸展による開閉自在な物品の閉塞状態における半開きなどの閉塞不良を防止するようにしたことを特徴とする。
【０００８】
帯状部材が、可撓性を有する素材で袋状に形成され、弾性体が該帯状部材の内部に非圧縮状態で配設され、該帯状部材を厚さ方向に圧縮可能とし、帯状部材の経年変化に伴う該帯状部材の伸展に際しても、開閉自在な物品を閉塞状態に保持する際に、該弾性体が、開閉自在な物品の自由端側の側部と該閉止部材の内側面との間の隙間に応じて膨張して適当な圧縮状態となって、該開閉自在な物品の自由端側の側部と該閉止部材の内側面との間に隙間ができないようにし、閉止部材の伸展による開閉自在な物品の閉塞状態における半開きなどの閉塞不良を防止するようにしたことを特徴とする。
【０００９】
弾性体の少なくとも一部分が、外部に露出した状態で、帯状部材の内側面に配設されていることを特徴とする
【００１０】
弾性体が、発泡樹脂で構成されていることを特徴とする。
【００１１】
弾性体が、複数の伸縮性材料を重ね合わせてなるものであることを特徴とする。
【００１２】
袋状に形成された帯状部材の主たる材料が、革乃至合皮であることを特徴とする。
【００１３】
開閉自在な物品の一方の部分に対する閉止部材の着脱が、それぞれに配設された第一の留具と第二の留具によるものであり、第一の留具が、閉止部材の自由端側の先端部内側に配設された雄型ホックであり、第二の留具が、開閉自在な物品の第一の部分の外表面に配設された前記雄型ホックを着脱自在に装着して固着し得るように構成された雌型ホックであることを特徴とする。
【００１４】
開閉自在な物品の一方の部分に対する閉止部材の着脱が、それぞれに配設された第一の留具と第二の留具によるものであり、第一の留具が、閉止部材の自由端の先端部に配設される磁性体であり、第二の留具が、開閉自在な物品の第一の部分に配設される磁石であることを特徴とする。
【００１５】
開閉自在な物品が、金属製の略角皿状の二つの部材を互いに内向きに重ねて、それらの一端どうしを開閉自在にヒンジ連結してなり、該角皿状の部材の外表面の一部乃至全部には革が配設されていることを特徴とする。
【００１６】
その閉塞状態を保持するための閉止部材を備え、金属製の略角皿状の二つの部材を互いに内向きに重ねて、それらの一端どうしを開閉自在にヒンジ連結してなり、該角皿状の部材の外表面のほぼ全体には革が配設される開閉自在な物品において、閉止部材が、可撓性を有する革を袋状に形成して全体として略帯状をなし、開閉自在な物品の開閉する自由端側の側端部を覆うように二つの部材に跨って略Ｕ字形に湾曲した帯状部材の湾曲部位の内部には、ポリウレタンフォームを二枚重ねてなる弾性体が圧縮状態で配設され、該閉止部材の自由端側の先端内側部分には雄型ホックが配設され、該閉止部材の固定端が開閉自在な物品の一方の略角皿状の部材の外側表面に配設された革に対し縫合によって固定され、該閉止部材を取り付けていない側の開閉自在な物品の略角皿状の部材の外側表面に配設された革には、雌型ホックが固定されてなることを特徴とする。
【００１７】
開閉自在な物品の少なくとも一方の部分の内側には、鏡が設けられていることを特徴とする。
【考案の効果】
【００１８】
本考案は、閉止部材の適当な箇所に弾性体を配置したことにより、経年変化に伴う閉止部材自体の伸展によって、開閉自在な物品の自由端側の側端部と閉止部材の内側との間にできていた間隙を、単純な構成によって目立たずに埋めることができ、これによって開閉自在な物品の閉塞状態における半開きなどの閉塞不良を防止することができる。特に、弾性体を閉止部材の内部に予め圧縮状態にして配設するという構成を採った場合には、未使用時における閉止部材の厚みを極力薄く設定することが可能となり、開閉自在な物品全体の見栄えを向上させ、高級感を醸し出すことができるという効果がある。
【考案を実施するための最良の形態】
【００１９】
この考案の好ましい実施の形態を、図を参照しながら以下に詳細に説明する。図１は、本考案に係る開閉自在な物品(１)の外観図である。図２は、図１の開閉自在な物品(１)の一側面図である。図３は、本考案の主要部品である閉止部材(２)の構成を示す模式的な平面図である。図４は、図１の開閉自在な物品(１)の閉止部材(２)の展開状態における断面図である。図５は、図１の開閉自在な物品(１)を閉止部材(２)によって閉塞している状態を局所的に拡大した部分断面図であって、閉止部材(２)が、経年変化によって未だ伸展していない状態を示したものである。図６は、図１の開閉自在な物品(１)を閉止部材(２)によって閉塞している状態を局所的に拡大した部分断面図であって、閉止部材(２)が経年変化によって伸展した状態を示したものである。図７は、図１の開閉自在な物品(１)の一使用例を示す開放状態における斜視図である。図８は、図１の開閉自在な物品(１)の別の使用例を示す開放状態における斜視図である。図９は、従来の閉止部材(２)を備えた開閉自在な物品(１)の閉塞状態における閉止部材(２)周辺の部分拡大図であって、閉止部材(２)が経年変化によって伸展してしまった状態を示したものである。図１０は、図９の閉止部材(２)の構成を示す拡大断面図である。
【００２０】
図に示すように、本考案の開閉自在な物品(１)は、ヒンジ状に開閉自在で、折り重ねた際に互いにほぼ過不足無く重なり合う所定の面積を有する第一の皿状部材(3a)と第二の皿状部材(3b)の二つの部材からなる開閉自在な物品本体(３)と、それを二つ折りの閉塞状態に保持するための閉止部材(２)を備えている。
【００２１】
開閉自在な物品本体(３)をなす第一の皿状部材(3a)及び第二の皿状部材(3b)は、互いにほぼ鏡面対称に形成されている。これらの皿状の部材は、金属製で、平面視した際の形状が略方形であり、その縁部が若干内側に立ち上がって略角皿状をなしている。この金属製の略角皿状の部材の外側の表面には、該部材の方形状の外表面より若干小さい面積でほぼ相似形の方形状に形成された革(４)がしっかりと貼着されている。この革(４)には、開閉自在な物品本体(３)のヒンジ連結部(５)に対応する一辺を除いて、周縁部に沿うステッチ(６)が施されている。開閉自在な物品本体(３)をなす第一の皿状部材(3a)の外表面に貼着された革(4a)の自由端側の若干内位置のほぼ中央部には、閉止部材(２)の自由端の内側部分に取り付けられている留具としての雄型ホック(７)を着脱自在に固着するための前記留具に対応する留具としての雌型ホック(８)が取り付けられている。勿論、留具は、必ずしも前記(７)(８)の如き対でなければならないと言うものではなく、例えば、一方を永久磁石、他方を強磁性体としてこれらの間に作用する磁気的な引力によって閉塞状態を保持するように構成することもできる。開閉自在な物品本体(３)をなす第二の皿状部材(3b)の外表面に貼着された革(4b)の自由端側の若干内位置のほぼ中央部には、閉止部材(２)の固定端が縫合によって固定されている。
【００２２】
開閉自在な物品本体(３)は、上述の如くに構成された開閉自在な物品本体(３)をなす第一の皿状部材(3a)及び第二の皿状部材(3b)を、それらの略角皿状の凹落した面どうしを互いに向け合って所定の箇所をヒンジ連結して、自在に開閉し得るように構成され、それら第一の皿状部材(3a)と第二の皿状部材(3b)を内向きに互いに接近させるようにして閉塞することで、外部と隔絶した閉じた空間を作出できるように構成される。
【００２３】
閉止部材(２)は、平面形状がほぼ合同な帯状の革二枚を互いに重ね、それらの周縁部を縫合して袋状に形成してなる全体として略帯形の帯状部材(９)と、この袋状に形成された帯状部材(９)の内部に配設される弾性体(10)と、該帯状部材(９)の先端内側部位に取り付けられる雄型ホック(７)とから構成される。
【００２４】
弾性体(10)は、閉止部材(２)をＵ字形に湾曲させて開閉自在な物品(１)の自由端側の側端部の中央部を覆ってその閉塞状態を保持する際に、該開閉自在な物品(１)の被覆される部位に相当する帯状部材(９)上の部位（例えば、図３に示す閉止部材(２)の長手方向におけるほぼ中央部に記した点線で囲った長方形の領域）に配設される。勿論、弾性体(10)は、前記部位に存在していればよくその前後部分、或いは帯状部材(９)の全体に亘って配設してもよいが、好ましくは、弾性体(10)は当該部位のみに配設する。
【００２５】
図４に示すように、帯状部材(９)に対する弾性体(10)の配設は、帯状部材(９)の内部に弾性体(10)を圧縮状態で挿入した状態となっている。このように、弾性体(10)を予め圧縮状態にして帯状部材(９)の内部に配設することで、未使用状態（図５参照）では、閉止部材(２)を極力薄手に設定することができ、使用に伴う経年変化による帯状部材(９)の伸展に応じて、予め圧縮しておいた弾性体(10)が膨張（図６参照）し、これによって、従来、閉止部材(２)の伸展によって閉止部材(２)の内側と開閉自在な物品(１)の自由端側の側端部との間に作出されていた隙間(Ｓ)（図９参照）が常に埋められ、良好な閉塞状態を得ることができるようになっている。
【００２６】
しかしながら弾性体(10)の配設方法はこれに限らず、例えば、弾性体(10)を非圧縮状態で帯状部材(９)の内部に配設してもよい（図示せず）。この場合、開閉自在な物品(１)の閉塞不良の防止は、閉止部材(２)の開放時には、常時、弾性体(10)が該閉止部材(２)の厚さ方向に非圧縮状態となり、閉塞時には、帯状部材(９)と開閉自在な物品(１)の自由端側の側部とによって押圧されて弾性体(10)が圧縮状態となる。この弾性体(10)の圧縮作用によって、従来、閉止部材(２)の伸展によって閉止部材(２)の内側と開閉自在な物品(１)の自由端側の側端部との間に作出されていた隙間(Ｓ)が常に埋められ、閉止部材(２)の開放状態においてはその厚さが常時厚手となってしまうものの良好な閉塞状態を得ることができる。
【００２７】
また、これとほぼ同等の作用効果の得られる弾性体(10)の配設方法としては、弾性体(10)を帯状部材(９)の内部に配設せず、その内側表面に配設することが挙げられる。ただし、この場合には、弾性体(10)が外部に露出した状態となるので、美観や高級感を損なうおそれがある。弾性体(10)を外部に露出する構成を採る場合にも、弾性体(10)の形状は特に限定されず、例えば、単なる直方体に成形したもの或いは、弾性を有する突起を部分的に形成して弾性効果を得るように構成したもの等を用いることができる。
【００２８】
弾性体(10)としては、適当な弾性を発現するものであれば特に限定されないが、好適に用いることのできるものとしては、合成樹脂製発泡体が挙げられ、好ましくはポリウレタンフォームを用いる。より好ましくは、比重０．０１６程度に発泡したポリウレタンフォームを用いる。特に、弾性体(10)を圧縮状態にして、帯状部材(９)の内部に配設する場合には、比重０．０１６程度に発泡したポリウレタンフォームを、厚さ２ｍｍの方形片に成形し、これを２枚重ねて厚さ１ｍｍまで圧縮して用いることが望ましい。
【００２９】
開閉自在な物品本体(３)及び閉止部材(２)は、以上の如くに構成されるが、勿論、上記説明の範囲を逸脱しない程度において各部を変更することができることはいうまでもない。また、開閉自在な物品(１)は、図７に示すように、例えば、シガレットケースとして構成することができるが、この際、開閉自在な物品本体(３)をなす皿状部材(3a)(3b)を閉塞した状態におけるトータルの深さがたばこ(12)の直径程度になるように成形する。勿論この際、皿状部材(3a)(3b)の一方は、たばこの直径程度の深めの凹落部を有するものとし、他方は深さのない皿状若しくは蓋状のものとすることもできる。また、図８に示すように、開閉自在な物品本体(３)をなす皿状部材(3a)(3b)の一方若しくは両方の内部を鏡面加工したり、或いは鏡(13)を配設するなどして該開閉自在な物品(１)をいわゆる長角ミラーのように使用することもできる。
【図面の簡単な説明】
【００３０】
【図１】本考案に係る開閉自在な物品の外観図
【図２】図１の開閉自在な物品の一側面図
【図３】本考案の主要部品である閉止部材の構成を示す模式的な平面図
【図４】図１の開閉自在な物品の閉止部材の展開状態における断面図
【図５】図１の開閉自在な物品を閉止部材によって閉塞している状態を局所的に拡大した部分断面図であり、閉止部材が経年変化によって未だ伸展していない状態を示した図
【図６】図１の開閉自在な物品を閉止部材によって閉塞している状態を局所的に拡大した部分断面図であり、閉止部材が経年変化によって伸展した状態を示した図
【図７】図１の開閉自在な物品の一使用例を示す開放状態における斜視図
【図８】図１の開閉自在な物品の別の使用例を示す開放状態における斜視図
【図９】従来の閉止部材を備えた開閉自在な物品の閉塞状態における閉止部材周辺の部分拡大図であって、閉止部材が経年変化によって伸展してしまった状態を示した図
【図１０】図９の閉止部材の構成を示す拡大断面図
【符号の説明】
【００３１】
１  開閉自在な物品
２  閉止部材
3a  第一の皿状部材
3b  第二の皿状部材
３  開閉自在な物品本体
４  革
4a  革
4b  革
５  ヒンジ連結部
６  ステッチ
７  雄型ホック
８  雌型ホック
９  帯状部材
10  弾性体
12  たばこ
13  鏡
15  ホック
16  閉止部材
17  開閉自在な物品
Ｓ 隙間
【図１】
0003127996.tif 000003
【図２】
0003127996.tif 000004
【図３】
0003127996.tif 000005
【図４】
0003127996.tif 000006
【図５】
0003127996.tif 000007
【図６】
0003127996.tif 000008
【図７】
0003127996.tif 000009
【図８】
0003127996.tif 000010
【図９】
0003127996.tif 000011
【図１０】
0003127996.tif 000012